(57)【要約】      （修正有）【課題】タブ部材を引き剥がすときの開封性を向上する。【解決手段】飲料用紙容器１Ａは，筒状の胴部と，胴部の上端を閉じる天部12と，胴部の下端を閉じる底部とを備える。天部12に飲み口14があけられている。上記飲み口14は上記天部12の外面において上記飲み口14の周囲の全体に接着されたタブ部材21によって塞がれている。天部12の外面に１対のエンボス部16Ｌ，16Ｒとデボス部15とが形成されている。タブ部材21にはエンボス部16Ｌ，16Ｒ，デボス部15に向かってのびる未接着の摘み部21Ａが設けられており，未接着の摘み部21Ａの先端部分の両端部がエンボス部16Ｌ，16Ｒに乗り上げている。デボス部15は未接着の摘み部21Ａの先端付近に位置している。【選択図】図５
2015193403.tif 000002
【特許請求の範囲】
【請求項１】
筒状の胴部と，胴部の上端を閉じる天部と，胴部の下端を閉じる底部とを備え，上記天部に飲み口があけられており，上記飲み口が，上記天部の外面において上記飲み口の周囲の全体に接着されたタブ部材によって塞がれている飲料用紙容器において，
上記天部の外面に凸状突起部および凹状窪み部が形成されており，上記タブ部材に上記凸状突起部および凹状窪み部に向かってのびる未接着の摘み部が設けられ，上記未接着の摘み部の少なくとも一部が上記凸状突起部に乗り上げており，かつ上記凹状窪み部が上記未接着の摘み部の先端付近に位置している，
飲料用紙容器。
【請求項２】
上記未接着の摘み部が上記凹状窪み部の少なくとも一部を覆っている，請求項１に記載の飲料用紙容器。
【請求項３】
上記未接着の摘み部の先端が上記凹状窪み部の手前に位置している，請求項１に記載の飲料用紙容器。
【請求項４】
上記未接着の摘み部の両側部のそれぞれが乗り上げる１対の凸状突起部が形成されている，請求項１に記載の飲料用紙容器。
【請求項５】
上記１対の凸状突起部の間に，上記１対の凸状突起部のそれぞれと間隔をあけて上記凹状窪み部が形成されている，請求項４に記載の飲料用紙容器。
【請求項６】
上記飲み口と上記凹状窪み部との間に，上記飲み口および上記凹状窪み部のそれぞれと間隔をあけて上記凸状突起部が形成されている，請求項１に記載の飲料用紙容器。
【請求項７】
上記未接着の摘み部の先端が上記天部から離れる向きに凸状に湾曲している，請求項１から６のいずれか一項に記載の飲料用紙容器。
【発明の詳細な説明】
【技術分野】
【０００１】
この発明は飲料用紙容器に関する。
【背景技術】
【０００２】
天部にあけられた飲み口をタブ部材によって封止した飲料用紙容器が知られている。タブ部材を天部から引き剥がすことで飲み口が開封される。
【０００３】
タブ部材の全体が容器天部に接触していると，タブ部材の縁部に爪や指をかけにくいためにタブ部材をつまみにくい。特許文献１は，タブ部材を引き剥がすときにタブ部材をつまみやすくするために，タブ部材に孔を形成したもの，切り起しを形成したものを記載する。
【先行技術文献】
【特許文献】
【０００４】
【特許文献１】実開平４−１０６２２４号公報
【０００５】
しかしながら，飲み口を封止するタブ部材は比較的小さい（面積が狭い）ので，タブ部材に孔を形成したり，大きな切り起しを形成するのは難しい。またタブ部材は一般に薄いシートで作られるから，しっかりとした，安定した孔や切起しをタブ部材に形成するは困難である。切起しの場合，容器の成形工程で切起しが元に戻されることも考えられる。
【発明の開示】
【０００６】
この発明は，タブ部材をさらにつまみやすくして，これによりタブ部材を引き剥がすときの開封性を向上することを目的とする。
【０００７】
この発明による飲料用紙容器は，筒状の胴部と，胴部の上端を閉じる天部と，胴部の下端を閉じる底部とを備え，上記天部に飲み口があけられており，上記飲み口が，上記天部の外面において上記飲み口の周囲の全体に接着されたタブ部材によって塞がれているものであり，上記天部の外面に凸状突起部および凹状窪み部が形成されており，上記タブ部材に上記凸状突起部および凹状窪み部に向かってのびる未接着の摘み部が設けられ，上記未接着の摘み部の少なくとも一部が上記凸状突起部に乗り上げており，かつ上記凹状窪み部が上記未接着の摘み部の先端付近に位置していることを特徴とする。タブ部材は熱可塑性樹脂によって天部の外面に熱溶着してもよいし，接着剤を用いて天部の外面に接着してもよい。
【０００８】
飲み口があけられた飲料用紙容器の天部に凸状突起部および凹状窪み部が形成されている。飲み口を塞ぐタブ部材に設けられた未接着の摘み部は上記凸状突起部および凹状窪み部に向かってのびており，未接着の摘み部の少なくとも一部が凸状突起部に乗り上げており（被さっている，載っている），かつ凹状窪み部が未接着の摘み部の先端付近に位置している。凸状突起部に乗り上げることで未接着の摘み部と天部との間にはすき間が形成される。さらに未接着の摘み部の先端付近に凹状窪み部が位置しているので，凹状窪み部に爪ないし指先を潜り込ませて摘み部の先端縁に爪ないし指をかけやすく，摘み部をめくりやすい。めくれた摘み部はその後に簡単に指でつまむことができるから，開封作業（タブ部材の引き剥がし）が容易になる。凸状突起部および凹状窪み部は飲料用紙容器の天部に形成されるので，比較的大きな，しっかりとした凸状突起部および凹状窪み部を形成することができる。また飲料用紙容器の成形工程において凸状突起部および凹状窪み部を形成することができるから，加工性もよい。
【０００９】
上述したように，凹状窪み部は，そこに爪ないし指先を潜り込ませて摘み部の先端縁に爪ないし指先をかけやすくするものである。爪ないし指先を潜り込ませることができ，かつ潜り込ませた爪ないし指先をタブ部材の摘み部の先端縁にかけることができる位置，すなわち上記未接着の摘み部の先端付近に凹状窪み部は形成される。一実施態様では，上記未接着の摘み部が上記凹状窪み部の少なくとも一部を覆っている。未接着の摘み部が凹状窪み部の一部を覆う態様では，摘み部によって覆われていないところから爪ないし指先を凹状窪み部に潜り込ませることができる。未接着の摘み部は凹状窪み部の全部を覆っていてもよい。凹状窪み部を覆う摘み部を凹状窪み部に向けて押すと，摘み部の縁部が反り返るから，この態様でも摘み部の先端縁に爪ないし指をかけやすい。
【００１０】
他の実施態様では，上記未接着の摘み部の先端が上記凹状窪み部の手前に位置している。すなわち，凸状突起部および凹状窪み部に向かってのびる未接着の摘み部が凹状窪み部にまでは達していない態様である。この場合も凹状窪み部は摘み部の先端付近に位置しているから，凹状窪み部に潜り込ませた爪ないし指先を摘み部の先端縁にかけることができる。
【００１１】
一実施態様では，上記未接着の摘み部の両側部のそれぞれが乗り上げる１対の凸状突起部が形成されている。未接着の摘み部と天部との間にバランスよくすき間を形成することができる。この場合，上記凹状窪み部は，１対の凸状突起部の間に上記１対の凸状突起部のそれぞれと間隔をあけて形成される。
【００１２】
他の実施態様では，上記飲み口と上記凹状窪み部との間に，上記飲み口および上記凹状窪み部のそれぞれと間隔をあけて上記凸状突起部が形成されている。飲み口，凸状突起部，および凹状窪み部がこの順番に並ぶ態様である。凸状突起部によって天部と未接着の摘み部との間にすき間が確保され，かつ凹状窪み部が形成されていることで，爪ないし指先を未接着の摘み部の先端縁にかけやすい。
【００１３】
さらに好ましくは，上記未接着の摘み部の先端が上記天部から離れる向きに湾曲している。未接着の摘み部の先端に爪ないし指先をさらにかけやすくすることができる。
【図面の簡単な説明】
【００１４】
【図１】飲料用紙容器の平面図である。
【図２】図１のII−II線に沿う飲料用紙容器の端面図である。
【図３】図１のIII−III線に沿う飲料用紙容器の端面図である。
【図４】図２のIV−IV線に沿う飲料用紙容器の断面図である。
【図５】飲料用紙容器の平面の斜視図である。
【図６】変形例の飲料用紙容器の平面図である。
【実施例】
【００１５】
図１は飲料用紙容器の平面図，図２は図１のII−II線に沿う飲料用容器の端面図，図３は図１のIII−III線に沿う飲料用容器の端面図，図４は図２のIV−IV線に沿う断面図，図５は飲料用容器の天部の斜視図を，それぞれ示している。これらの図面において，分かりやすくするために，部材の厚さ，凸部の高さ，凹部の深さ等が誇張して示されている。
【００１６】
飲料用紙容器１Ａは，円筒状の胴部11と，胴部11の上端を閉じる天部12と，胴部11の下端を閉じる底部13から構成されている。胴部11，天部12および底部13は紙を主成分とし，内面にポリエチレン（ＰＥ）が積層されたものであり，水密性を持つ。外面にポリエチレン，アルミニウム（ＡＬ）等を積層してもよい。たとえば，内面から外面に向けてポリエチレン，紙，ポリエチレン，アルミニウムおよびポリエチレンをこの順番に積層した積層構造のものが用いられる。
【００１７】
胴部11の上端を閉じる天部12は円形で，その周縁部12Ａが外向きに折り曲げられている。外向きに折り曲げられた天部12の周縁部12Ａを挟むように胴部11の上端部11Ａが折り返されている。天部12の周縁部12Ａとこれを挟む胴部11の上端部11Ａは全面的に互いに接合（接着，溶着）されている。
【００１８】
胴部11の下端を閉じる底部13も円形であり，その周縁部13Ａが外向きに折り曲げられ，外向きに折り曲げられた周縁部13Ａを挟むように胴部11の下端部11Ｂが折り返されている。底部13の周縁部13Ａとこれを挟む胴部11の下端部11Ｂも全面的に互いに接合（接着，溶着）されている。
【００１９】
天部12には飲み口（ストロー差し込み開口）14があけられている。飲み口14は，平面からみてしずく形（ティアドロップ形）に，すなわち天部12の中心に向かって先細に形成されている。
【００２０】
天部12の外面（表面）にはさらに，天部12の外面を基準面にして，それよりも内向きに窪むデボス部（凹状窪み部）15と，外向きに突出する１対のエンボス部（凸状突起部）16Ｌ，16Ｒとが飲み口14から離れて形成されている。
【００２１】
デボス部15は，先細の飲み口14の延長線上（先細の方向）において，先細の飲み口14の向きとほぼ直交する方向に長方形状に形成されている。デボス部15の長手方向の長さは，後述するタブ部材21（摘み部21Ａ）の幅（タブ部材21の長手方向に直交する向きの長さ）よりもやや短い。デボス部15の深さはたとえば５mm程度である。
【００２２】
エンボス部16Ｌ，16Ｒは，デボス部15の左右の両側においてデボス部15と間隔をあけてそれぞれ形成されており，２つのエンボス部16Ｌ，16Ｒの間にデボス部15が位置している。エンボス部16Ｌ，16Ｒは先細の飲み口14の向きに沿う方向にやや細長く形成されている。エンボス部16Ｌ，16Ｒの高さはたとえば５mm程度である。
【００２３】
デボス部15は天部12の外がわから押型を押し当てることで，エンボス部16Ｌ，16Ｒは天部12の内がわから押型を押し当てることで，それぞれ形成される。
【００２４】
天部12の外面に，飲み口14を覆う大きさを持つ長方形のタブ部材21が飲み口14を覆って接着されており，飲み口14はタブ部材21によって外がわから塞がれている。タブ部材21は紙を基材とし，その内面に熱可塑性樹脂，好ましくはポリオレフィン系樹脂（たとえばポリエチレン）が積層されたものである。タブ部材21の接着範囲31Ａが，図１には一点鎖線によって，図２には太実線によって，それぞれ示されている。タブ部材21はその内面に積層された熱可塑性樹脂による熱溶着によって天部12の外面に接着される。もちろん接着剤により天部12の外面に接着してもよい。
【００２５】
タブ部材21を接着する接着範囲31Ａは，天部12の外面において飲み口14の周囲の全体を取り囲み，かつデボス部15，エンボス部16Ｌ，16Ｒに向かって次第に狭くなるように先細に設けられており，デボス部15，エンボス部16Ｌ，16Ｒには達していない。
【００２６】
デボス部15，エンボス部16Ｌ，16Ｒに向けてのびるタブ部材21は，その先端部分がデボス部15の一部を覆い，かつ先端部分の左右端がエンボス部16Ｌ，16Ｒにそれぞれ乗り上げている（被さっている，載っている）。上述したように接着範囲31Ａはデボス部15，エンボス部16Ｌ，16Ｒには達していないので，デボス部15の一部を覆い，かつエンボス部16Ｌ，16Ｒに乗り上げているタブ部材21の先端部分は，天部12の外面にも，デボス部15，エンボス部16Ｌ，16Ｒにも接着されていない。以下，タブ部材21の未接着の先端部分を「摘み部21Ａ」と呼ぶ。タブ部材21の未接着の摘み部21Ａの内面に，抗ヒートシール剤，たとえばフッ素系樹脂，シリコーン樹脂等を塗布してもよい。
【００２７】
図２および図５を参照して，タブ部材21の未接着の摘み部21Ａは，上述したようにその先端部分の左右端が天部12に形成された１対のエンボス部16Ｌ，16Ｒにそれぞれ乗り上げているので，タブ部材21の長手方向に沿う方向において天部12の外面から離れる向き（外向き）にやや湾曲している。さらに，図３および図５を参照して，タブ部材21の未接着の摘み部21Ａはその先端縁（短手方向に沿う方向）においても天部12の外面から離れる方向に湾曲している。摘み部21Ａの先端縁の湾曲形状は，あらかじめ摘み部21Ａ（紙基材）にそのようなくせを付けておいてもよいし，摘み部21Ａを加熱することで生じる，摘み部21Ａに積層されている熱可塑性樹脂の収縮を利用して形成してもよい。
【００２８】
図２および図４を参照して，天部12の内面（裏面）には飲み口14を覆う大きさを持つ概略方形のフィルム17が飲み口14を覆って接着されており，飲み口14はフィルム17によって内がわからも塞がれている。フィルム17は薄くかつ水密性を持つものである。図４においてフィルム17の接着範囲31Ｃを一点鎖線によって，図２において太実線によってそれぞれ示す。フィルム17は熱可塑性樹脂を熱溶着することで，または接着剤によって天部12の内面に接着される。
【００２９】
図１および図２を参照して，飲み口14を外がわから覆うタブ部材21と飲み口14を内がわから覆うフィルム17は，飲み口14を通じて互いに接着されている。飲み口14を通じたタブ部材21とフィルム17との接着範囲31Ｂを，図１において一点鎖線により，図２において太実線により，それぞれ示す。タブ部材21とフィルム17も熱可塑性樹脂を熱溶着することにより，または接着剤によって互いに接着される。
【００３０】
上述したように，タブ部材21の未接着の摘み部21Ａの先端部分の左右端はエンボス部16Ｌ，16Ｒにそれぞれ乗り上げているので，タブ部材21の未接着の摘み部21Ａと天部12との間にすき間があく。また摘み部21Ａの先端はデボス部15の上方に位置しているから，デボス部15に潜り込ませた爪ないし指先を，摘み部21Ａの先端縁にかけやすい。さらにタブ部材21の摘み部21Ａはその先端縁が外向きに湾曲しているので，摘み部21Ａと天部12（デボス部15）との間に比較的広い間隔が設けられる。これらのエンボス部16Ｌ，16Ｒ，デボス部15，およびタブ部材21の摘み部21Ａの先端縁の湾曲形状の組合せによって，タブ部材21の摘み部21Ａ（その先端縁）に容易に爪または指先をかけることができ，摘み部21Ａを簡単にめくることができる。めくれた摘み部21Ａを指でつまみ，飲み口14の向きに引っ張ることでタブ部材21は引き剥がされる。
【００３１】
上述したように，飲み口14を通じてタブ部材21とフィルム17とが接着されているので，タブ部材17を引き剥がす途中で飲み口14を内がわから覆っているフィルム17が破け，これにより飲み口14が開口する。一般にはストロー（図示略）が開口した飲み口14から紙容器１Ａ内に差し込まれる。タブ部材21を天部12の外面に接着する接着範囲31Ａがデボス部15およびエンボス部16Ｌ，16Ｒに向かうにつれて狭められているので，軽い力でタブ部材21の引き剥がしを開始することができる。
【００３２】
タブ部材21の摘み部21Ａの先端縁の湾曲形状は必ずしも形成しなくてもよい。エンボス部16Ｌ，16Ｒによって摘み部21Ａと天部12の外面との間にすき間が確保され，さらにデボス部15に爪ないし指先を潜り込ませて摘み部21Ａの先端縁に爪ないし指をかけて摘み部21Ａをめくることができるので，これらのエンボス部16Ｌ，16Ｒとデボス部15だけでも，タブ部材21の摘み部21Ａを充分につまみやすくすることができる。
【００３３】
図６は変形例の飲料用紙容器１Ｂを示すものである。飲み口14とデボス部15との間に，上記飲み口14および上記デボス部15のそれぞれと間隔をあけてエンボス部16が形成されている点，タブ部材21の未接着の摘み部21Ａがデボス部15を覆っておらず，摘み部21Ａの先端縁とデボス部15とがわずかに離れている点が異なる。この変形例においても，エンボス部16によって摘み部21Ａと天部12の外面との間にすき間が形成され，さらにデボス部15に潜り込ませた爪ないし指先を摘み部21Ａの先端縁にかけることができるので，タブ部材21の摘み部21Ａをつまみやすい。
【符号の説明】
【００３４】
１Ａ，１Ｂ  飲料用紙容器
12  天部
13  底部
14  飲み口
15  デボス部（凹状窪み部）
16，16Ｌ，16Ｒ  エンボス部（凸状突起部）
21  タブ部材
21Ａ  摘み部
31Ａ，31Ｂ，31Ｃ  接着範囲
【図１】
2015193403.tif 000003
【図２】
2015193403.tif 000004
【図３】
2015193403.tif 000005
【図４】
2015193403.tif 000006
【図５】
2015193403.tif 000007
【図６】
2015193403.tif 000008